(57)【要約】【課題】異常通報判定値の人手による設定作業を不要とし得て、作業負荷を軽減することができ、しかも、異常通報判定値の人為的な設定ミスや設定忘れを防止することができる冷凍・空調装置の遠隔監視システムを提供する。【解決手段】冷媒回路を構成する冷凍・空調装置１に関する計測部位の変調情報を電気通信回線６を通じて監視装置７で監視する際、計測部位の変調検出のためのしきい値が演算部によって計測部位の計測データの推移に基づいて自動設定される。【選択図】　　　　図１
2004003732.tif 000002
【特許請求の範囲】
【請求項１】
冷媒回路を構成する冷凍・空調装置に関する計測部位の変調情報を電気通信回線を通じて監視装置で監視する冷凍・空調装置の遠隔監視システムにおいて、
前記計測部位の変調検出のためのしきい値を前記計測部位の計測データの推移に基づいて自動設定する演算部を備えていることを特徴とする冷凍・空調装置の遠隔監視システム。
【請求項２】
前記演算部は、前記冷凍・空調装置の正常運転状態における計測データの推移傾向に基づいて自動設定することを特徴とする請求項１に記載の冷凍・空調装置の遠隔監視システム。
【請求項３】
冷媒回路を構成する冷凍・空調装置に関する計測部位の計測データに対して仮しきい値の割り当て設定をおこなうステップと、計測データの演算処理開始から時系列の現時点の平均値を求めるステップと、計測データの更新の度に仮しきい値の時系列データに基づいて仮しきい値の自動修正を行うステップと、仮しきい値の修正の度に修正前後の仮しきい値が所定値以下となるまで比計算を繰り返すステップと、最新の仮しきい値と最新の計測データの平均値との大小比較を実施した後に仮しきい値＞平均値の場合には仮しきい値を再修正時点での最新計測データが所定値となるまで仮しきい値を下げ且つ仮しきい値＜平均値の場合には仮しきい値を再修正時点での最新計測データが所定値となるまで仮しきい値を上げるステップとを備えていることを特徴とする冷凍・空調装置の遠隔監視システムにおける遠隔監視方法。
【発明の詳細な説明】
【０００１】
【発明の属する技術分野】
本発明は、冷凍機器や空気調和装置等の冷凍・空調装置、特に、その異常を電気通信回線を通じて遠隔監視する遠隔監視システムに関する。
【０００２】
【従来の技術】
従来から、冷凍機器や空気調和装置等の冷凍・空調装置で異常が発生した場合に、その異常を電気通信回線を通じて監視センター等に報知することでメンテナンス等を行うようにした遠隔監視システムが知られている。
【０００３】
図４は、このような遠隔監視システムの一例を示すシステム概略図である。
【０００４】
図４において、熱源側ユニット１０１と利用側負荷ユニット１０２とで現地側の冷凍・空調装置１０３を構成している。
【０００５】
一方、冷凍・空調装置１０３の運転状態情報などを遠隔監視する監視センター側の監視装置１０４は、冷凍・空調装置１０３と監視装置１０４との間での通信インターフェイスとなる監視用モデム１０５と、監視用モデム１０５と監視装置１０４との間での情報伝送手段である電話回線などの電気通信回線１０６とによって冷凍・空調装置１０３とネットワーク接続されている。
【０００６】
このような冷凍・空調装置の遠隔監視システムでは、冷凍・空調装置１０３にて異常が発生し、例えば、冷凍・空調機能が停止した状態となった場合、その異常発生通報を冷凍・空調装置１０３から監視装置１０４が受け、サービスマン等に復旧作業のための出動指令が出される。
【０００７】
復旧作業のための出動命令を受けたサービスマンは、異常発生現場にて原因を究明し、その復旧作業を行った後、冷凍・空調装置１０３の機能が完全に復旧したかの確認作業（試運転等）を行った上で、本格的な運転再開となる。
【０００８】
一方、冷凍・空調装置１０３を遠隔監視する際には、冷凍・空調装置１０３の圧力や温度、或いは、各種構成機器（例えば、アクチュエータ）の制御値等の計測項目・監視項目に対して上限しきい値並びに下限しきい値を設定すると共に、計測項目・監視項目に応じた許容範囲（誤差等を含む）を予め設定しておき、実際にはその許容範囲を超えた場合に情報遠隔監視システムに対して異常通報を行っている。
【０００９】
例えば、冷凍・空調装置１０３の圧力や温度などの運転データの運転管理は、その運転管理をすべき計測部位に圧力センサーや温度センサー等を設け、これら各種センサーを警報機付き計測装置や監視装置に接続して、その計測装置や監視装置に予め設定された基準値（＝許容範囲）を越えた際（変調を検出した際）に監視装置１０４に異常通報を発信する。
【００１０】
【発明が解決しようとする課題】
ところで、上記の如く構成された冷凍・空調装置の遠隔監視システムにあっては、異常通報判定値、即ち、実際に異常通報を発生させるための値は許容範囲であるが、上述した復旧の場合のみならず、冷凍・空調装置１０３を新規に設置する場合や既存の冷凍・空調装置１０３に監視システムを追加する場合等、異常通報判定値としての許容範囲を設定するためには、各種の計測項目・監視項目に対して上限しきい値並びに下限しきい値を人手（例えば、キーボードなどの適宜の入力装置）によって割り当て設定する必要がある。
【００１１】
この際、各種の計測項目・監視項目に対して上限しきい値並びに下限しきい値を割り当て設定するには、作業者の冷凍・空調装置１０３に対する保守管理作業の経験と知識により決定されるため、熟練を要し、その設定作業にかかる作業負荷が大きいという問題が生じていた。
【００１２】
また、例えば、高層ビルや大型店舗などの大型な冷凍・空調システムでは、各種の計測項目・監視項目が膨大なものとなってしまうことから、異常通報判定値の設定ミスや設定忘れ等が発生し易いという問題が生じていた。
【００１３】
そして、このような設定ミスや設定忘れがあると、試運転時に依然として異常発生通報が残存してしまい、復旧作業負荷がさらに増してしまうという問題も生じていた。
【００１４】
本発明は、上記問題を解決するため、異常通報判定値の人手による設定作業を不要とし得て、作業負荷を軽減することができ、しかも、異常通報判定値の人為的な設定ミスや設定忘れを防止することができる冷凍・空調装置の遠隔監視システムを提供することを目的とする。
【００１５】
【課題を解決するための手段】
その目的を達成するため、本発明の冷凍・空調装置の遠隔監視システムは、冷媒回路を構成する冷凍・空調装置に関する計測部位の変調情報を電気通信回線を通じて監視装置で監視する冷凍・空調装置の遠隔監視システムにおいて、
前記計測部位の変調検出のためのしきい値を前記計測部位の計測データの推移に基づいて自動設定する演算部を備えていることを特徴とする。
【００１６】
これにより、異常通報判定対象となる各種計測部位の計測データの推移に基づいて異常通報判定のためのしきい値を自動設定することができ、異常通報判定値の人手による設定作業を不要とし得て、作業負荷を軽減することができるうえ、異常通報判定値の人為的な設定ミスや設定忘れを防止することができる。
【００１７】
また、本発明の冷凍・空調装置の遠隔監視システムは、前記演算部は、前記冷凍・空調装置の正常運転状態における計測データの推移傾向に基づいて自動設定することを特徴とする。
【００１８】
これにより、異常通報判定値の適正化を図ることができ、信頼性を向上することができる。
【００１９】
また、本発明の冷凍・空調装置の遠隔監視システムにおける遠隔監視方法は、冷媒回路を構成する冷凍・空調装置に関する計測部位の計測データに対して仮しきい値の割り当て設定をおこなうステップと、計測データの演算処理開始から時系列の現時点の平均値を求めるステップと、計測データの更新の度に仮しきい値の時系列データに基づいて仮しきい値の自動修正を行うステップと、仮しきい値の修正の度に修正前後の仮しきい値が所定値以下となるまで比計算を繰り返すステップと、最新の仮しきい値と最新の計測データの平均値との大小比較を実施した後に仮しきい値＞平均値の場合には仮しきい値を再修正時点での最新計測データが所定値となるまで仮しきい値を下げ且つ仮しきい値＜平均値の場合には仮しきい値を再修正時点での最新計測データが所定値となるまで仮しきい値を上げるステップとを備えていることを特徴とする。
【００２０】
【発明の実施の形態】
次に、本発明の冷凍・空調装置の遠隔監視システムの実施の形態を図面に基づいて説明する。
【００２１】
図１は、本発明の実施の形態に係わる冷凍・空調装置の遠隔監視システムのシステムブロック図である。
【００２２】
図１において、１は測定・監視対象となる冷凍・空調装置、２はこの冷凍・空調装置２に設けられて圧力や温度などを検出するセンサー、３はセンサー２から出力された検出結果が入力されるＡ／Ｄ変換器、４はＡ／Ｄ変換器３から出力された圧力値や温度などの検出値が入力される内部監視装置、５は内部監視装置４の監視結果を電気通信回線６を通じて監視装置７に出力する通信制御装置である。尚、センサー２は冷凍・空調装置１の運転管理をすべき計測部位に個々に設けられている。
【００２３】
図２は、このような冷凍・空調装置１の遠隔監視システムにおける異常通報判定値の自動設定処理ルーチンのフロー図である。
【００２４】
このフロー図では、異常通報判定用の上下限しきい値決定の対象となる計測部位の計測データをＤとしたとき、その計測データＤの時系列のデータＤＮを、
ＤＮ＝｛Ｄ１、Ｄ２、Ｄ３、…、Ｄｎ｝
とする。
【００２５】
（ステップ１）
ステップ１では、計測装置若しくは監視装置が計測データＤの統計的処理などの演算処理を用い、計測データＤが定常状態に落ち着いていることを確認した後に、計測データＤに対して仮しきい値Ｘ，Ｙの割り当てを行ってステップ２へと移行する。尚、ここでは、仮しきい値の上限値（仮上限しきい値）をＸ０、仮しきい値の下限値（仮下限しきい値）をＹ０とする。このＸ０、Ｙ０は、想定される計測データＤの範囲よりも大きくかけ離れた値とするよう、仮上限しきい値Ｘ０から仮下限しきい値Ｙ０の範囲は広めに設定する。
【００２６】
（ステップ２）
ステップ２では、計測データＤの演算処理開始から現時点（Ｄ１、Ｄ２、Ｄ３、…、Ｄｎ）までの平均値ＡＮを、下記の式（１）、
【数１】
2004003732.tif 000003
で求めてステップ３へと移行する。
【００２７】
（ステップ３）
ステップ３では、計測データＤの更新の都度、仮しきい値Ｘ，Ｙの時系列データＸＮ，ＹＮを、
ＸＮ＝｛Ｘ１、Ｘ２、Ｘ３、…、Ｘｎ｝
ＹＮ＝｛Ｙ１、Ｙ２、Ｙ３、…、Ｙｎ｝
としたとき、下記の式（２）、
【数２】
2004003732.tif 000004
に基づいて仮しきい値Ｘ，Ｙの自動修正を行い、ステップ４へと移行する。
【００２８】
（ステップ４）
ステップ４では、上記式（２）に基づく仮しきい値Ｘ，Ｙの修正の都度、以下の式（３）、
【数３】
2004003732.tif 000005
に従って、修正前後の仮しきい値の比計算を実施し、その比計算結果が１．２以下となるまで繰り返され、比計算結果が１．２を越えた時点でステップ５へと移行する。
【００２９】
ここで、修正の都度の比計算は、例えば、仮上限しきい値Ｘの場合には、
Ｘ１／Ｘ２、Ｘ２／Ｘ３、Ｘ３／Ｘ４、…、Ｘｎ−１／Ｘｎの時系列で比計算を行い、
仮下限しきい値Ｙの場合には、
Ｙ１／Ｙ２、Ｙ２／Ｙ３、Ｙ３／Ｙ４、…、Ｙｎ−１／Ｙｎの時系列で比計算を行う。
【００３０】
（ステップ５）
ステップ５では、仮しきい値Ｘｎ，Ｙｎと最新の計測データＤｎの平均値Ａｎとの大小比較を実施して、仮しきい値Ｘｎ＞平均値Ａｎの場合にはステップ６へと移行し、仮しきい値Ｘｎ＜平均値Ａｎの場合にはステップ７へと移行する。
【００３１】
（ステップ６）
ステップ６では、仮しきい値Ｘｎ＞平均値Ａｎであったことから、仮しきい値Ｘを再修正時点での最新計測データＤｎ＋Ｚｄｅｇ℃となるまで仮しきい値を下げ、以下、仮しきい値の再修正を行う。
【００３２】
（ステップ７）
ステップ７では、仮しきい値Ｘｎ＜平均値Ａｎであったことから、仮しきい値Ｘを再修正時点での最新計測データＤｎ＋Ｚｄｅｇ℃となるまで仮しきい値を上げ、以下、仮しきい値の再修正を行う。
【００３３】
なお、上記ステップ６，７において、数値Ｚは冷凍・空調装置１若しくは計測部位固有の値であり、一義的には決定されるものではなく、計測データＤの変化特性や計測部位固有の保護装置の作動値等に基づいて決定される（例えば、５℃など）。
【００３４】
また、上記ステップ５〜ステップ７においては、仮しきい値Ｘに関してのみ説明したが、仮しきい値Ｙについても同様であるため、その説明は省略した。
【００３５】
仮しきい値の修正には、修正終了の限界点を求めておき、その限界点を超えた場合（下回った場合）には修正終了とする。
【００３６】
図３は、このような処理ルーチンに基づくしきい値決定のグラフ図である。
【００３７】
このグラフ図において、線分Ｄは元の計測データ、線分Ａは平均値データ、線分Ｘは上限しきい値、線分Ｙは下限しきい値を示す。
【００３８】
このグラフ図においては、Ｘ１（Ｙ１はグラフ図外）で仮しきい値が設定（ステップ１に相当）され、Ｘ２（Ｙ２はグラフ図外）で仮しきい値が修正（ステップ３に相当）され、Ｘ６及びＹ６で比計算結果（Ｘ５／Ｘ６、Ｙ５／Ｙ６）が１．２以下となった（ステップ４に相当）ことから修正が終了（Ｘ６＝Ｘ０、Ｙ６＝Ｙ０とする）していることを示す。
【００３９】
また、ポイントＰにおいて、仮しきい値Ｘ０が超えたことから、上限しきい値Ｘに関して再度修正を開始していることを示す。
【００４０】
尚、上述したしきい値修正の演算部は、冷凍・空調装置１側に設けてもよいし（例えば、内部監視装置４）、監視装置７に設けてもよい。
【００４１】
【発明の効果】
本発明の冷凍・空調装置の遠隔監視システムにあっては、以上説明したように構成したことにより、異常通報判定値の人手による設定作業を不要とし得て、作業負荷を軽減することができ、しかも、異常通報判定値の人為的な設定ミスや設定忘れを防止することができる。
【図面の簡単な説明】
【図１】本発明の実施の形態に係わる冷凍・空調装置の遠隔監視システムのシステムブロック図である。
【図２】本発明の実施の形態に係わる冷凍・空調装置の遠隔監視システムにおける異常通報判定値の自動設定処理ルーチンのフロー図である。
【図３】本発明の実施の形態に係わる冷凍・空調装置の遠隔監視システムにおけるＤ、Ａ、Ｘ、Ｙ各値の変化の一例のグラフ図である。
【図４】従来の冷凍・空調装置の遠隔監視システムを示すシステム概略図である。
【符号の説明】
１　冷凍・空調装置、６　電気通信回線、７　監視装置。
【図１】
2004003732.tif 000006
【図２】
2004003732.tif 000007
【図３】
2004003732.tif 000008
【図４】
2004003732.tif 000009